(57)【特許請求の範囲】
【請求項１】
肛門より直腸内に挿入できる大きさの外筒の内側に外筒より長い内筒を回転可能に挿入し、外筒の先端の一部より斜め前方に伸びた第１挿入棒を設け、内筒の先端の一部より斜め前方に伸びた第２挿入棒を設け、前記第１挿入棒と前記第２挿入棒に長いシートの端部をそれぞれ取り付け、前記シートを第１挿入棒又は第２挿入棒に巻きつけるか第１挿入棒と第２挿入棒の間に折りたたむようにし、内筒の内側に内筒より前方に進出でき腸内の便を外部に掻き出す掻き出し体を設け、腸内に挿入した第１挿入棒と第２挿入棒のいずれか一方又は両方を円周を描く動きをさせて便をシートで包囲し、掻き出し体をシートで包囲した前方空間に進出させて行う便の破砕・排出がシートで包囲した空間内で安全に行われるようにした排便装置。
【請求項２】
内筒の内周と掻き出し体の間に掻き出し体の外周を所定の間隔をあけて覆いかつ内筒より前方に進出できる進退筒を設け、シートで包囲した空間内の便を強制的に排出した後に、掻き出し体を進退筒で覆った状態でさらに前方に進出させて安全に便を強制的に排出できるようにした請求項１記載の排便装置。
【請求項３】
進退筒の後部から便を吸引除去する吸引装置を設けた請求項２記載の排便装置。
【請求項４】
進退筒の後部から薬液を注入する注入装置を設けた請求項２又は３記載の排便装置。
【請求項５】
掻き出し体が、らせん状の刃面を有するスパイラル刃を駆動で回転させる構造にした請求項１〜４いずれかに記載の排便装置。
【請求項６】
外筒を肛門に固定するための膨縮する環状のバルーンを外筒の外周に設けた請求項１〜５いずれかに記載の排便装置。
【請求項７】
環状のバルーンが、肛門をシールする構造にした請求項６記載の排便装置。
【発明の詳細な説明】
【０００１】
【発明の属する技術分野】
本発明は、排便できない人の便を強制的に体外へ排出する技術に関し、腸内の便をシートで包囲し、シートの内部で便の破砕を行う排便装置に関する。
【０００２】
【従来の技術】
従来、直腸内から便を強制的に排出するには処置する人が便を指で掻き出していた。人の指で処置することは処置される人にとって不快であり、処置に時間を要する問題もあった。
そこで本発明人は、破砕刃によって腸内の便を破砕して体外に排出する排便装置を開発した。この排便装置では、腸内であまり大きく破砕刃を広げると、腸を傷つけるおそれが高くなってしまい、破砕刃の外側をカバーで覆うなどすると安全性は高いが破砕による排便の効率は低くなってしまっていた。このように安全性と破砕による排便効率の両立が求められていた。
【０００３】
【発明が解決しようとする課題】
本発明が解決しようとする課題は、従来のこれらの問題点を解消し、安全性高くかつ効率的に、強制的な排便が行える排便装置を提供することにある。
【０００４】
【課題を解決するための手段】
かかる課題を解決した本発明の構成は、
１）  肛門より直腸内に挿入できる大きさの外筒の内側に外筒より長い内筒を回転可能に挿入し、外筒の先端の一部より斜め前方に伸びた第１挿入棒を設け、内筒の先端の一部より斜め前方に伸びた第２挿入棒を設け、前記第１挿入棒と前記第２挿入棒に長いシートの端部をそれぞれ取り付け、前記シートを第１挿入棒又は第２挿入棒に巻きつけるか第１挿入棒と第２挿入棒の間に折りたたむようにし、内筒の内側に内筒より前方に進出でき腸内の便を外部に掻き出す掻き出し体を設け、腸内に挿入した第１挿入棒と第２挿入棒のいずれか一方又は両方を円周を描く動きをさせて便をシートで包囲し、掻き出し体をシートで包囲した前方空間に進出させて行う便の破砕・排出がシートで包囲した空間内で安全に行われるようにした排便装置
２）  内筒の内周と掻き出し体の間に掻き出し体の外周を所定の間隔をあけて覆いかつ内筒より前方に進出できる進退筒を設け、シートで包囲した空間内の便を強制的に排出した後に、掻き出し体を進退筒で覆った状態でさらに前方に進出させて安全に便を強制的に排出できるようにした前記１）記載の排便装置
３）  進退筒の後部から便を吸引除去する吸引装置を設けた前記２）記載の排便装置
４）  進退筒の後部から薬液を注入する注入装置を設けた前記２）又は３）記載の排便装置
５）  掻き出し体が、らせん状の刃面を有するスパイラル刃を駆動で回転させる構造にした前記１）〜４）いずれかに記載の排便装置
６）  外筒を肛門に固定するための膨縮する環状のバルーンを外筒の外周に設けた前記１）〜５）いずれかに記載の排便装置
７）  環状のバルーンが、肛門をシールする構造にした前記６）記載の排便装置にある。
【０００５】
【作用】
本発明では、外筒に設けた第１挿入棒、内筒に設けた第２挿入棒及び外筒の一部を肛門より腸内に挿入する。腸内に挿入したならば、内筒を回転させて第２挿入棒が円周を描くように動かし、第１挿入棒と第２挿入棒に取りつけたシートを円筒状に展開する。第１挿入棒及び第２挿入棒は、斜め前方に向かうよう外筒及び内筒に取り付けているので、前方にいくに従って拡径した円筒状にシートは展開される。このようにシートを展開すると、腸内の排出されない便をシートが包囲し、腸と便が隔てられる。この状態で内筒の内側から掻き出し体を腸内のシートで包囲した空間内に進出させ、腸内の便を外部に掻き出すようにする。掻き出し体はシートで包囲した空間内で掻き出しを行うので腸に触れて傷つけることなく、かつ広く包囲した便の排出を行う。さらに、掻き出し体による掻き出しの状況に応じてさらに内筒を回転させて、シートを締め上げるようにシートの包囲を縮径させるようにして、包囲した内部の便を確実に掻き出し体で掻き出すようにもできる。よって、シートで大きく包囲した便を外部に掻き出すようにできより多くの便を一度に排出するようにできる。
吸引装置を設けたものは、腸内で掻き出し体が破砕した便を進退筒内部に吸引し、進退筒後方から外部に吸引排出する。
注入装置を設けたものは、薬液を進退筒後部に注入し、進退筒先端より腸内に薬液を注入する。
内筒の内周と掻き出し体の間に進退筒を設けたものは、シートで包囲した空間内の便を強制的に排出した後に、掻き出し体を進退筒で覆った状態でさらに前方に進出させて、さらに腸内の奥の便の処理も行うようにする。これにより一度に多くの量を処理することができる。
掻き出し体が、らせん状の刃面を有するスパイラル刃を駆動で回転させる構造にしたものは、先端の刃面で便を破砕するとともに、破砕した便をらせんの送りにより体外に排出して、便を掻き出す。
環状のバルーンを外筒の外周に設けたものは、外筒の一部を肛門から腸内に挿入した状態でバルーンを膨張させて、肛門に外筒を固定する。
環状のバルーンが肛門をシールするようにしたものは、膨張させたバルーンが肛門をシールするようにして薬液や便が体外に洩れ出すのを防ぐようにする。
【０００６】
【発明の実施の形態】
腸内に挿入される第１挿入棒及び第２挿入棒の先端は、腸の内壁を傷つけないように丸味をもたせた滑らかな球状にするのが望ましい。
便を包囲するシートは、下水に廃棄できるように可溶性のものを用いたり、後処理が容易な生物分解性のものを用いたり、さらに薬品類で容易に溶解して処理し易くできるものを用いるのがよい。シートの内面は包囲した便を直腸内から排出する時に滑らないように突起物を設けたり面を粗くしてもよい。
第１挿入棒及び第２挿入棒の先端にキャップを取り付ける場合、キャップは、直腸内の水分で溶けるゼラチン等の材質にして腸内で溶けるようにしてもよいし、切れ目や破れやすい部分を設けて第１挿入棒又は第２挿入棒の旋回する動きによって腸内で破れ、キャップの一部をシート又は第１挿入棒又は第２挿入棒に取り付けて排便の際に体外に取り出されるようにしてもよい。
掻き出し体には、らせん状のスパイラル刃や掻き出しを行うバケットをベルト外周に多数配置し、ベルトを回転させるコンベアタイプなどがあり、効率よく掻き出しを行うことができるものがよい。
【０００７】
【実施例】
本発明の実施例について図面を参照して具体的に説明する。
図１〜４に示すのは、掻き出し体としてスパイラル刃を用い、スパイラル刃を覆う進退筒を設け、吸引装置として吸引ポンプを設け、注入装置として注入ポンプを設け、外筒の外周に肛門への固定とシールを兼ねるバルーンを設けた排便装置の例である。
図１，２は実施例の排便装置の説明図である。図３，４は実施例の排便装置を使用している状態を示す説明図である。
図中、１は排便装置、２は外筒、３は第１挿入棒、４は内筒、５は第２挿入棒、５ａはシート取付筒、６は進退筒、６ａは排出口、６ｂは注入口、７は回転軸、８はスパイラル刃、９は駆動部、９ａは電動モータ、９ｂはギア、９ｃはカバー、１０はシート、１１はバルーン、１２は吸引ポンプ、１３は排出チューブ、１４は排出容器、１５は注入ポンプ、１６は注入チューブ、１７は薬液容器、１８は空気ポンプ、Ｂは便、ｈは人である。
【０００８】
実施例の排便装置１では、まず、図１に示すように肛門より腸内に挿入できる大きさの外筒２を設ける。外筒２の先端は、肛門から腸内に挿入しやすいように先端に行くに従って細くなるように斜めの端面になるようにしている。外筒２の先端には、外周側斜め前方に伸びた第１挿入棒３を設ける。
次に、外筒２の内穴に挿入して回転自在な大きさの内筒４を設ける。内筒４の先端は、外筒２と同様に斜めの端面にし、先端を外筒２とそろえた際に、後端が外筒２の後端より所定長さに後方に長くなる寸法にする。内筒４の先端には、外筒２の第１挿入棒３と並行となるように外周側斜め前方に伸びた第２挿入棒５を設ける。第２挿入棒５には、シート取付筒５ａの内穴に第２挿入棒５を挿入するようにしてシート取付筒５ａを取り付ける。
次に、内筒４の内穴に挿入して進退可能な大きさの進退筒６を設ける。進退筒６は、後端が内筒４の後端より所定長さ後方となるように長く設ける。また、進退筒６の後端は開口を塞ぐようにする。次に進退筒６の後端近くには、内部と外部を連通させる排出口６ａと注入口６ｂを設ける。
次に、進退筒６の後端を貫通し、進退筒６の内穴の先端から、進退筒６の後端より所定長さ後方に長く伸びた回転軸７を設ける。次に、回転軸７の先端から所定の範囲に、らせん状の刃面を持つスパイラル刃８を設ける。スパイラル刃８は、外径が進退筒６の内周より所定量小さい径にして、進退筒６の内部で回転可能となるようにする。
回転軸７の後端には、ギア９ｂと電動モータ９ａからなる駆動部９を設けて回転軸７及びスパイラル刃８を駆動で回転できるようにする。さらに駆動部９のカバー９ｃには、前方に伸びた筒状の部分を設けて、進退筒６の後端をスライド可能に係合させるようにし、駆動部９が回転軸７及びスパイラル刃８とともに前後にスライドできるようにする。
進退筒６の後端近くに設けた排出口６ａ及び注入口６ｂには、排出口６ａに排出チューブ１３の一端を取り付け、注入口６ｂには注入チューブ１６の一端を取り付ける。排出チューブ１３の他端は、吸引ポンプ１２，排出容器１４に接続されるようにし、注入チューブ１６の他端は、注入ポンプ１５，薬液容器１７に接続するようにする。
次に、外筒２の外周の２箇所には、空気ポンプ１８の空気の送りと逃がしによって膨張・収縮するバルーン１１を設ける。
次に長いシート１０の一端を第１挿入棒３に取り付け、他端を第２挿入棒５のシート取付筒５ａに取り付けて、シート取付筒５ａを回転させるようにして、シート１０を巻き取るようにする。
【０００９】
本実施例の排便装置１を使用するには、図３（ａ）に示すように第１挿入棒３及び第２挿入棒５を先端から肛門に挿入するようにして、外筒２の外周の２箇所に設けたバルーン１１の間に肛門が位置するようにする。このように所定の位置まで挿入したならば、空気ポンプ１８で空気をバルーン１１に送ってバルーン１１を肛門を挾む位置の体内外で膨張させて固定する。
次に、注入ポンプ１５を作動させて薬液容器１７の薬液を注入チューブ１６を介して進退筒６の注入口６ｂから内部に注入し、進退筒６の前端から腸内に薬液を注入する。本実施例では、薬液として生理食塩水を使用している。生理食塩水が腸内に注入されることによって、腸内の便を軟らかくするとともに腸を膨らませて処理を行いやすくする。
このように腸内に生理食塩水を注入したならば、外筒２の後端より後方に突出している内筒４を手動で回転させる。これによって、第２挿入棒５が円周を描く動きをする。第１挿入棒３は外筒２をバルーン１１で固定することによって、固定した状態となっているので、第１挿入棒３と第２挿入棒５の間にシート１０が展開される。シート１０は、斜め前方に伸びた第２挿入棒５の円周を描く動きに沿って、先端が大きく開く円錐状に展開される。これにより、腸内の便をシート１０で包囲する。
次に、図３（ｂ）に示すように駆動部９の電動モータ９ａを作動させてスパイラル刃８を回転させながら、駆動部９を前方に押すようにし、スパイラル刃８を回転軸７とともに進退筒６の先端からシートで包囲した空間内に突出させる。スパイラル刃８の回転する先端刃面によって腸内の排出されない便を破砕し、スパイラル刃８のらせんの送りによって、進退筒６の内部後方に破砕した便を送る。
さらに、駆動部９の電動モータ９ａを作動させるのに前後して吸引ポンプ１２を作動させる。よって、スパイラル刃８のらせんの送りによって進退筒６の内部後方に送られた便は、吸引されて、排出口６ａから排出チューブ１３を通って排出容器１４に収容される。
このようにして、シート１０で包囲した空間内の所定位置までスパイラル刃８を突出させて便の破砕・排出を行ったならば、図４（ａ）に示すように手動で内筒４をさらに回転させて、第２挿入棒５をさらに円周を描く動きをさせてシート１０をさらに周回させるようにして、シート１０で包囲した空間を小さくするようにし、シート１０で包囲した便をスパイラル刃８の外周に近付けるようにしてさらに便の破砕・排出を行うようにする。このように処理することで、シート１０が包囲した便を確実に効率よく処理することができる。
シート１０で包囲した便がほぼ排出できたならば、進退筒６の後端部と駆動部９を手で持って、駆動部９の位置が変わらないように進退筒６を前進させ、シート１０で包囲した空間内に突出させているスパイラル刃８を覆うようにする。次に、図４（ｂ）に示すように駆動部９と進退筒６の後端部を押すようにして、スパイラル刃８を進退筒６で覆った状態で前進させてシート１０より前方のさらに腸の奥の便を処理する。破砕できる面積は少なくなっているが、シート１０で包囲した便を処理した後のさらに奥の便は、少し硬さの程度が低く、生理食塩水の効果もあるため、処理しやすい状態となっている。さらに、進退筒６でスパイラル刃８の先端を覆うようにしているので、吸引ポンプ１２の吸引力が強く伝達される。よって、さらに腸の奥の便を処理できる。これにより、一度に多くの量の便を強制的に排出でき、処置時間が短くなり患者は楽になる。また、処理は非常に確実なものとなる。
このように処理を行って、さらに腸内に注入した生理食塩水も十分に吸引したならば、吸引ポンプ１２、駆動部９の電動モータ９ａを停止させて、進退筒６とスパイラル刃８を外筒２の内部に収まるよう後退させ、空気ポンプ１８をバルーン１１への空気の送りに連通する通路を外部に開放するようにして、バルーン１１内の空気を排出し、バルーン１１を収縮させる。バルーン１１を収縮させたならば、外筒２及び第１挿入棒３、第２挿入棒５を肛門から引き抜くようにして体外に取り出して処置を終了する。
外筒２と内筒４及び進退筒６は容易に取りはずしができるので、再利用する際には、洗浄等が容易に行えるので便利である。
【００１０】
図５に示すのは、実施例の排便装置の他の例である。
実施例の他の例では、図５に示すように進退筒を設けないようにし、内筒４の内穴よりスパイラル刃８を進退させるようにしている。このように進退筒を設けないようにしてもよい。
【００１１】
【発明の効果】
本発明によれば、安全性高くかつ効率的に、強制的な排便が行える排便装置にできる。
内筒の内周と掻き出し体の間に進退筒を設けたものは、一度に多くの便を処理できるようにしてさらに効率的にし、患者の処置時間を短くして楽にする。
吸引装置を設けたものは、さらに効率的に強制的な排便が行える。
注入装置を設けたものは、薬液により便を軟らかくして排出しやすくし、より効果的に強制的な排便が行える。
掻き出し体が、らせん状の刃面を有するスパイラル刃を駆動で回転させる構造にしたものは、便の破砕・排出を効率よく行う掻き出し体にできる。
環状のバルーンを外筒の外周に設けたものは、安全に外筒を肛門に固定して効率よく処理できる。
環状のバルーンが肛門をシールするようにしたものは、より衛生的に処理が行える。
【図面の簡単な説明】
【図１】実施例の排便装置の説明図である。
【図２】実施例の排便装置の説明図である。
【図３】実施例の排便装置を使用している状態を示す説明図である。
【図４】実施例の排便装置を使用している状態を示す説明図である。
【図５】実施例の排便装置の他の例を示す説明図である。
【符号の説明】
１  排便装置
２  外筒
３  第１挿入棒
４  内筒
５  第２挿入棒
５ａ  シール取付筒
６  進退筒
６ａ  排出口
６ｂ  注入口
７  回転軸
８  スパイラル刃
９  駆動部
９ａ  電動モータ
９ｂ  ギア
９ｃ  カバー
１０  シート
１１  バルーン
１２  吸引ポンプ
１３  排出チューブ
１４  排出容器
１５  注入ポンプ
１６  注入チューブ
１７  薬液容器
１８  空気ポンプ
Ｂ  便
ｈ  人
【図１】
0003822814.tif 000002
【図２】
0003822814.tif 000003
【図３】
0003822814.tif 000004
【図４】
0003822814.tif 000005
【図５】
0003822814.tif 000006